(57)【要約】  携帯型電波時計は、風防ガラスと、前記風防ガラスの周縁の裏側に前記周縁にそって形成されたアンテナ電極と、受信回路と、前記アンテナ電極と前記受信回路とを接続する接続回路の少なくとも一部を構成するアンテナ接続線であって、前記アンテナ電極の裏面に直接接続され前記風防ガラスから遠ざかる方向に延びるアンテナ接続線と、前記アンテナ電極の下に設けられ、平面視において前記アンテナ電極の少なくとも一部を覆う誘電体と、を含む。
2017169861.tif 000002
【特許請求の範囲】
【請求項１】
風防ガラスと、
前記風防ガラスの周縁の裏側に前記周縁にそって形成されたアンテナ電極と、
受信回路と、
前記アンテナ電極と前記受信回路とを接続する接続回路の少なくとも一部を構成するアンテナ接続線であって、前記アンテナ電極の裏面に直接接続され前記風防ガラスから遠ざかる方向に延びるアンテナ接続線と、
前記アンテナ電極の下に設けられ、平面視において前記アンテナ電極の少なくとも一部を覆う誘電体と、
を含む携帯型電波時計。
【請求項２】
請求項１に記載の携帯型電波時計において、
前記風防ガラスがはめ込まれるベゼルをさらに含み、
前記誘電体は、前記ベゼルの一部であり、前記アンテナ電極の直下に配置される、
携帯型電波時計。
【請求項３】
請求項１に記載の携帯型電波時計において、
前記風防ガラスがはめ込まれるベゼルをさらに含み、
前記誘電体は前記ベゼルの一部であり、前記アンテナ電極と前記誘電体との間に絶縁性の部材が配置される、
携帯型電波時計。
【請求項４】
請求項１に記載の携帯型電波時計において、
前記風防ガラスがはめ込まれ、前記アンテナ電極の下にある誘電体を含むベゼルと、
前記誘電体と前記アンテナとの間に配置され前記誘電体と誘電率の異なる誘電部材と、をさらに含む、
携帯型電波時計。
【請求項５】
請求項１に記載の携帯型電波時計において、
前記風防ガラスがはめ込まれ、金属部材と誘電体部材とを含むベゼルをさらに含む、
携帯型電波時計。
【請求項６】
請求項１から５に記載の携帯型電波時計において、
前記アンテナ電極と前記風防ガラスとの間に設けられる目隠し部材をさらに含む、
携帯型電波時計。
【請求項７】
請求項１から６に記載の携帯型電波時計において、
前記風防ガラスの周縁の表側は傾斜を有する、
携帯型電波時計。
【発明の詳細な説明】
【技術分野】
【０００１】
本発明は、衛星等から信号を受信する携帯型電波時計に関する。
【背景技術】
【０００２】
ＧＰＳ（Global Positioning System）等を構成する衛星からの送信信号に含まれる時刻情報を受信して時刻を修正する携帯型の電波時計が実用に供されている。電波の受信のためのアンテナの種類および配置は、時計の機能を損なわずかつ必要な受信感度が得られるように決定されている。【０００３】
特許文献１の図８には、風防ガラスの外周縁の裏側に無給電素子４２３（アンテナ）を配置することが開示されている。無給電素子４２３は、誘電体上に形成された円弧状の給電素子４１０により非接触で給電される。無給電素子４２３と給電素子４１０との間には、誘電体であるダイヤルリング８３が配置されている。【０００４】
特許文献２には、環状の誘電体４０１上に設けられた無給電素子４０２と給電体４０３とからなるアンテナ体４０が開示されている。アンテナは風防ガラスには配置されておらず、アンテナ体４０と風防ガラスとの間には、ダイヤルリング８３が配置されている。
【先行技術文献】
【特許文献】
【０００５】
【特許文献１】特開２０１４−１６３６６６号公報
【特許文献２】特開２０１４−６２８４４号公報
【発明の概要】
【発明が解決しようとする課題】
【０００６】
本願発明者らは、ＵＨＦ帯向けのリング状の高感度アンテナを腕時計のような携帯時計に搭載することを検討している。この場合、アンテナのサイズを携帯時計に収めるために誘電体により波長を短縮する必要がある。ここで、特許文献１の図８に示されるように無給電素子（アンテナ）と給電素子との間に誘電体を配置すると、誘電体により高周波の受信信号にロスが生じてしまう。また、誘電体がない場合もその距離により受信感度が低下してしまう。一方、特許文献２に示されるように風防ガラスから離れた位置にアンテナを配置すると、携帯時計のケースや回路などの影響を受けやすくなってしまい、感度が低下するか厚みが増加することになる。【０００７】
本発明は上述の事情を考慮してなされたものであって、その目的は、高感度かつ薄型の携帯型の電波時計を提供することである。
【課題を解決するための手段】
【０００８】
（１）風防ガラスと、前記風防ガラスの周縁の裏側に前記周縁にそって形成されたアンテナ電極と、受信回路と、前記アンテナ電極と前記受信回路とを接続する接続回路の少なくとも一部を構成するアンテナ接続線であって、前記アンテナ電極の裏面に直接接続され前記風防ガラスから遠ざかる方向に延びるアンテナ接続線と、前記アンテナ電極の下に設けられ、平面視において前記アンテナ電極の少なくとも一部を覆う誘電体と、を含む携帯型電波時計。【０００９】
（２）（１）において、前記風防ガラスがはめ込まれるベゼルをさらに含み、前記誘電体は、前記ベゼルの一部であり、前記アンテナ電極の直下に配置される、携帯型電波時計。【００１０】
（３）（１）において、前記風防ガラスがはめ込まれるベゼルをさらに含み、前記誘電体は前記ベゼルの一部であり、前記アンテナ電極と前記誘電体との間に絶縁性の部材が配置される、携帯型電波時計。【００１１】
（４）（１）において、前記風防ガラスがはめ込まれ、前記アンテナ電極の下にある誘電体を含むベゼルと、前記誘電体と前記アンテナとの間に配置され前記誘電体と誘電率の異なる誘電部材と、をさらに含む、携帯型電波時計。【００１２】
（５）（１）において、前記風防ガラスがはめ込まれ、金属部材と誘電体部材とを含むベゼルをさらに含む、携帯型電波時計。【００１３】
（６）（１）から（５）において、前記アンテナ電極と前記風防ガラスとの間に設けられる目隠し部材をさらに含む、携帯型電波時計。【００１４】
（７）（１）から（６）において、前記風防ガラスの周縁の表側は傾斜を有する、携帯型電波時計。
【発明の効果】
【００１５】
本発明によれば、携帯型電波時計は、電波を高感度に受信し、かつ薄型とすることができる。
【図面の簡単な説明】
【００１６】
【図１】本発明の実施形態にかかる衛星電波腕時計の一例を示す平面図である。
【図２】図１に示される衛星電波腕時計のII−II切断線における断面図である。
【図３】図１に示される衛星電波腕時計に含まれる回路基板およびバラン基板を示す平面図である。
【図４】衛星電波腕時計の回路構成の概略を示すブロック図である。
【図５】図２に示される断面の部分拡大図である。
【図６】ベゼルおよび見返しリングの部分平面図である。
【図７】図１に示される衛星電波腕時計のVII−VII切断線における断面図である。
【図８】衛星電波腕時計の他の一例を示す部分断面図である。
【図９】衛星電波腕時計の他の一例を示す部分断面図である。
【図１０】衛星電波腕時計の他の一例を示す部分断面図である。
【図１１】衛星電波腕時計の他の一例を示す部分断面図である。
【図１２】衛星電波腕時計の他の一例を示す部分断面図である。
【図１３】衛星電波腕時計の他の一例を示す部分断面図である。
【図１４】衛星電波腕時計の他の一例を示す部分断面図である。
【図１５】衛星電波腕時計の他の一例を示す部分断面図である。
【図１６】衛星電波腕時計の他の一例を示す部分断面図である。
【図１７】衛星電波腕時計の他の一例を示す部分断面図である。
【図１８】衛星電波腕時計の他の一例を示す部分断面図である。
【図１９】衛星電波腕時計の他の一例を示す部分断面図である。
【図２０】衛星電波腕時計の他の一例を示す部分断面図である。
【図２１】衛星電波腕時計の他の一例を示す部分断面図である。
【図２２】衛星電波腕時計の他の一例を示す部分断面図である。
【図２３】衛星電波腕時計の他の一例を示す部分断面図である。
【発明を実施するための形態】
【００１７】
以下、本発明の実施の形態について、図面を参照しながら詳細に説明する。以下では本発明の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００１８】
図１は、本発明の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる裏蓋３９とを含む。これらは衛星電波腕時計１の外形を構成している。胴３８およびベゼル３２は、風防ガラス３１および裏蓋３９に挟まれている。以下では、衛星電波腕時計１の中心から風防ガラス３１へ向かう向きを上、裏蓋３９へ向かう向きを下と表記する。
【００１９】
胴３８は金属からなり、上下にそれぞれ穴を有する。ベゼル３２は胴３８の上の穴の形状に応じたリング状のセラミックスであり、ベゼル３２はその上の穴にはめ込まれることで胴３８に接続されている。また裏蓋３９は金属からなり胴３８の下の穴の形状に応じた平面を有し、裏蓋３９はその下の穴にはめ込まれている。風防ガラス３１は、ベゼル３２の上側の開口の形状に応じた平面形状を有し、ベゼル３２のその開口にはめ込まれている。風防ガラス３１とベゼル３２とはパッキン３３を介して接しており、パッキン３３により風防ガラス３１が固定されている。またベゼル３２と胴３８とはパッキン３７を介して接しており、パッキン３７によりベゼル３２が固定されている。
【００２０】
また、衛星電波腕時計１は、アンテナ１０ａ，１０ｂ、２本の導電ピン４１、リング状の見返しリング３４、文字板５１、時針５２ａ、分針５２ｂ及び秒針５２ｃ、ソーラーセル５３、地板５４、バラン基板４３、同軸ピン４５、回路基板４７、モーター４９を含む。これらは、風防ガラス３１、ベゼル３２、胴３８、裏蓋３９に囲まれた空間に配置されている。
【００２１】
アンテナ１０ａ，１０ｂは、風防ガラス３１の下側（裏側）に、風防ガラス３１の周縁に沿って延びるように配置されている。図１の例では、アンテナ１０ａ，１０ｂのそれぞれは円弧状であり、風防ガラス３１の裏側に貼り付けられている。アンテナ１０ａ，１０ｂは衛星から送信される衛星信号を受信する。特に本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。
【００２２】
導電ピン４１はいわゆるプローブピンである。２本の導電ピン４１はアンテナ１０ａ，１０ｂと１対１で対応しており、アンテナ１０ａ，１０ｂのそれぞれは、対応する導電ピン４１によりバラン基板４３と電気的に接続されている。導電ピン４１の両端はスプリングにより伸縮し、２本の導電ピン４１の上端はアンテナ１０ａ，１０ｂに接触している。また２本の導電ピン４１の下端はそれぞれバラン基板４３上に設けられた２つの接続端子に接触している。導電ピン４１は、見返しリング３４および地板５４により、平面視における位置を固定されており、また２本の導電ピン４１は互いに平行に配置されている。図２の例では、導電ピン４１は見返しリング３４を上下方向に貫通する穴の中に固定されている。アンテナ１０ａ，１０ｂからみて、導電ピン４１は、風防ガラス３１から遠ざかる方向に延びている。
【００２３】
図３は、衛星電波腕時計１の回路構成の概略を示すブロック図である。バラン回路２１は、ダイポールアンテナのような平衡型アンテナを不平衡な特性を有する同軸ピン４５や受信回路２２に接続するために、アンテナ１０ａ，１０ｂが受信した信号を変換する。受信回路２２は同軸ピン４５を介してバラン回路２１に接続されている。受信回路２２はアンテナ１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し、制御回路２６に対して出力する。
【００２４】
制御回路２６は、衛星電波腕時計１に含まれる各種回路や機構を制御する回路であり、例えば、マイクロコントローラと、モータ駆動回路と、ＲＴＣ（Ｒｅａｌ  Ｔｉｍｅ  Ｃｌｏｃｋ）とを含む。制御回路２６は、受信データやＲＴＣが出力するクロックに基づいて時刻を取得し、取得された時刻にあわせて駆動機構２８に含まれるモーター４９を駆動する。駆動機構２８は、ステップモータであるモーター４９と、輪列と、を含んで構成される。モーター４９は回路基板４７の文字板５１側の面に設けられている。モーター４９の回転を輪列が伝達することによって、例えば時針５２ａ、分針５２ｂ、及び秒針５２ｃのうちいずれかを回転させる。これにより現在時刻が表示される。
【００２５】
次に、バラン回路２１、受信回路２２等の配置について説明する。図４は、図１に示される衛星電波腕時計１に含まれる回路基板４７およびバラン基板４３を示す平面図である。図４に示されるII−II切断線は、図２に示される断面に対応する。また、図５は、図２に示される断面の部分拡大図である。バラン基板４３は回路基板４７の上に配置されている。バラン基板４３の下側の面には、アンテナ１０ａ，１０ｂと接続されるバラン回路２１が配置されており、回路基板４７上には受信回路２２が配置されている。図４の例では、平面視で、受信回路２２はバラン基板４３の隣に配置されている。なお、バラン基板４３は、平面視でモーター４９や電池と重なっていない。
【００２６】
バラン基板４３と回路基板４７の間には樹脂製のスペーサ４６が配置されており、スペーサ４６によりバラン基板４３と回路基板４７との間隔が保たれている。バラン基板４３と回路基板４７とは平行に配置されている。バラン回路２１と回路基板４７との間にはスペーサ４６が存在するが、例えばＧＮＤ配線のような金属部材は配置されていない。なお、文字板５１の直下にはソーラーセル５３が配置され、ソーラーセル５３と、バラン基板４３または回路基板４７との間には地板５４等が配置されている。
【００２７】
アンテナ１０ａ，１０ｂとバラン回路２１とは、導電ピン４１およびバラン基板４３上の中間配線により接続されている。中間配線は、バラン基板４３上を、導電ピン４１との接続端子から延びる配線である。中間配線は、接続端子から見て、胴３８から離れるように延びている。また、バラン回路２１と受信回路２２とは、ＲＦ接続配線により接続されている。ＲＦ接続配線は、同軸ピン４５と、同軸ピン４５とバラン回路２１とを接続するバラン基板４３上の配線と、同軸ピン４５と受信回路２２とを接続する回路基板４７上の配線とを含む。同軸ピン４５は、バラン基板４３上の配線と回路基板４７上の配線とを電気的に接続する。同軸ピン４５は、平面視で導電ピン４１よりも文字板５１の中央に近く、導電ピン４１に比べて胴３８から離れている。導電ピン４１、中間配線、バラン回路２１、ＲＦ接続配線は、アンテナ１０ａ，１０ｂと受信回路２２とを接続する接続回路である。また導電ピン４１はアンテナ１０ａ，１０ｂとバラン回路２１とを接続する配線の一種である。
【００２８】
また、ベゼル３２は、内周面において導電ピン４１が通過する位置に切欠き４２が設けられている。図６は、ベゼル３２および見返しリング３４の部分平面図である。ベゼル３２には、平面視で風防ガラス３１の周縁より外側にある部分と、その外側の部分から内側に張り出している張出部３５（図７参照）とを含む。導電ピン４１の近傍では張出部３５に切欠き４２が設けられている。平面視で、その切欠き４２の位置にはベゼル３２の内周側にある見返しリング３４が存在し、見返しリング３４のうち切欠き４２に重なる領域には、導電ピン４１を固定するための構造として２つの穴が設けられている。そして、２つの導電ピン４１はその２つの穴を通過するように配置される。
【００２９】
次に、アンテナ１０ａ，１０ｂと周辺の部材との関係についてより詳細に説明する。図７は、図１に示される衛星電波腕時計１のVII−VII切断線における断面図である。図７では、導電ピン４１は断面の向こう側にあり、図中では破線で示されている。
【００３０】
ベゼル３２は、誘電体であるセラミックスにより形成されており、張出部３５は、平面視で風防ガラス３１の周縁にあるアンテナ１０ａ，１０ｂの少なくとも一部を覆っている。張出部３５は、そのアンテナ１０ａ，１０ｂの少なくとも一部の直下に配置され、切りかかれたリングの形状を有する。本実施形態の例では、張出部３５は、アンテナ１０ａ，１０ｂのうち導電ピン４１と接続される部分を除く部分の直下に配置されている。また見返しリング３４は絶縁性の部材、例えば樹脂からなり、ベゼル３２の内周に隣接するように配置されている。また見返しリング３４は張出部３５の下にも隣接するように配置されている。
【００３１】
本実施形態では、風防ガラス３１の裏側にアンテナ１０ａ，１０ｂを配置し、またアンテナ１０ａ，１０ｂの下に誘電体でありベゼル３２（特に張出部３５）を配置している。本実施形態では、アンテナ１０ａ，１０ｂの下の誘電体（ここではベゼル３２）で波長短縮効果を得つつ、導電ピン４１とアンテナ１０ａ，１０ｂとを直接的に接続することにより誘電体による感度の低下も抑えられている。これにより、これらの構成を含まないものに比べて、衛星電波腕時計１をより薄型かつ高感度にすることが可能になる。
【００３２】
また、図７に示すように、風防ガラス３１の表側（上面）の周縁には傾斜のある傾斜領域が設けられており、アンテナ１０ａ，１０ｂはその傾斜領域に覆われている。また、傾斜領域の内側には、法線が上向きとなる平面領域が設けられている。より具体的には、傾斜領域は、平面視で、風防ガラス３１の表側の端からアンテナ１０ａ，１０ｂのｒ方向内側の端より内側まで存在する。傾斜領域においては、その法線は上方向から外側に傾いており、傾斜領域の外側の端は、内側の端より下側にある。これにより、アンテナ１０ａ，１０ｂを視認しづらくすることができ、装飾性を高めることが可能になる。本図の例では衛星電波腕時計１の中心を通る断面において、傾斜領域の傾斜角度は一定である。
【００３３】
ここで、アンテナ１０ａ，１０ｂと、誘電体との関係はこれまでに説明されたものと異なっていてもよい。
【００３４】
図８は、衛星電波腕時計１の他の一例を示す部分断面図であり、図７に対応する断面図である。以下では主に図７の例との違いについて説明する。図８の例では、張出部３５とアンテナ１０ａ，１０ｂとの間に見返しリング３４が配置されている。そのため、図８の例では、ベゼル３２の張出部３５は文字板５１の上面の上に出ないように配置されている。なお、見返しリング３４のうち張出部３５に対向する部分を薄くし、張出部３５のうちを上側にしてもよい。図８の例では、図７の例に比べて誘電体による波長短縮効果は低いものの、図７の例と同様に感度の低下を防ぐことができる。
【００３５】
図９は、衛星電波腕時計１の他の一例を示す部分断面図である。本図は図７に対応し、以下では主に図７の例との違いについて説明する。図９の例では、張出部３５とアンテナ１０ａ，１０ｂとの間に、張出部３５より誘電率の異なる高誘電体３６が配置されており、高誘電体３６がアンテナ１０ａ，１０ｂの直下に配置されている。高誘電体３６の誘電率は、張出部３５に比べて高いことが好ましい。高誘電体３６の材質は、例えば、アルミナや窒化ケイ素（誘電率８〜１０）、ジルコニア（誘電率２８〜３３）であってもよいし、酸化チタン（誘電率６０〜１００）であってもよい。また高誘電体３６の材質は誘電率の高いその他のセラミックス材料や樹脂材料であってもよい。図９の例では、誘電体による波長短縮効果をさらに得つつ、衛星電波腕時計１をより薄型かつ高感度にすることが可能になる。図９の例では、見返しリング３４は、平面視で必ず張出部３５の内側になるように配置されている。
【００３６】
図２３は、衛星電波腕時計１の他の一例を示す部分断面図である。本図は図９に対応し、以下では主に図９の例との違いについて説明する。図２３の例では、見返しリング３４の上側に凹部３４ｒが設けられており、凹部３４ｒの内部に高誘電体３６が配置されている。高誘電体３６は一般的にセラミックスなどの脆弱性のある材料である。図２３の例では、高誘電体３６が他の部材から独立しており、見返しリング３４によって高誘電体３６の位置を容易に定めることができる。これにより、アンテナ１０ａ，１０ｂと高誘電体３６との位置合わせが容易になり、製造ばらつきを抑えることができる。また、高誘電体３６の下面と見返しリング３４の凹部３４ｒの底との間に緩衝材７１が配置されている。緩衝材７１は、高誘電体３６をアンテナ１０ａ，１０ｂに押し付けており、高誘電体３６とアンテナ１０ａ，１０ｂとを接触させている。緩衝材７１により、アンテナ１０ａ，１０ｂと高誘電体３６とが接するため、誘電率による波長短縮効果をより確実に得やすい。緩衝材７１により、脆弱性を有する高誘電体３６に加わる衝撃を抑え、衛星電波腕時計１の破損の可能性を下げることができる。なお、緩衝材７１の代わりに弾力性のあるバネなどが配置されてもよい。
【００３７】
また、アンテナ１０ａ，１０ｂのうち導電ピン４１と接続する部分の幅が広くなっていてもよい。図１０は、衛星電波腕時計１の他の一例を示す部分断面図であり、図５に対応する図である。図１０の例では、導電ピン４１の近傍の領域にも張出部３５が存在し、導電ピン４１が図５の例と比べてさらに内側に配置されている。また、導電ピン４１とアンテナ１０ａ，１０ｂとの接続を可能とするために、導電ピン４１の近傍において、平面視でアンテナ１０ａ，１０ｂの内側に張出部３５に覆われない領域を有している。図１０の例では、張出部３５をベゼル３２の内周側の全体に設けることができ、より確実な耐久性や気密性を得ることが可能になる。
【００３８】
ここで、図７等の例と異なり、アンテナ１０ａ，１０ｂを目立たなくするために、衛星電波腕時計１の中心を通る断面において、風防ガラス３１の上面の少なくとも周縁が曲線を有するようにしてもよい。
【００３９】
図１１は、衛星電波腕時計１の他の一例を示す部分断面図であり、図７に対応する図である。本図では、図７の例と異なり、風防ガラス３１の側壁と平面領域とが、傾斜の向き（法線）が連続的に変化する曲面により接続されている。この曲面は、平面視で図７の傾斜領域と同じ領域に配置されている。図１１の例においても、アンテナ１０ａ，１０ｂを視認しづらくすることができる。
【００４０】
図１２は、衛星電波腕時計１の他の一例を示す部分断面図であり、図７に対応する図である。本図では、図７の例と異なり、風防ガラス３１の上側の面の全体が曲面により構成されており、風防ガラス３１の上側の面のうち周縁は、上側の面のうち中央に比べて下側になっている。図１３は、衛星電波腕時計１の他の一例を示す部分断面図であり、図１２に対応する図である。図１３の例においては、図１２の例と異なり、風防ガラス３１の下側の面の全体も曲面により構成されており、風防ガラス３１の下側の面のうち周縁は、下側の面のうち中央に比べて下側になっている。図１２や図１３の例においても、アンテナ１０ａ，１０ｂを視認しづらくすることができる。
【００４１】
ここで、アンテナ１０ａ，１０ｂを目立たなくするために、風防ガラス３１に印刷や表面加工により目隠し領域を設けてもよい。この手法によってもアンテナ１０ａ，１０ｂを視認しづらくすることができる。
【００４２】
図１４は、衛星電波腕時計１の他の一例を示す部分断面図であり、図７に対応する図である。図１４では、図７の例と異なり、風防ガラス３１の上面のうち法線が上向きとなる平面領域が、アンテナ１０ａ，１０ｂを覆っている。代わりに、風防ガラス３１の上面の周縁には、印刷により形成された目隠し領域６１が設けられている。目隠し領域６１はアンテナ１０ａ，１０ｂを覆っている。なお、目隠し領域６１を、風防ガラス３１の表面を加工して反射率を高めることにより設けてもよい。
【００４３】
図１５は、衛星電波腕時計１の他の一例を示す部分断面図であり、図１４に対応する図である。図１５の例では、図１４の例と異なり、目隠し領域６２が風防ガラス３１の下面に接するように配置され、アンテナ１０ａ，１０ｂを覆っている。より具体的には、目隠し領域６２は風防ガラス３１の下面の周縁に印刷により形成され、目隠し領域６２の下面にアンテナ１０ａ，１０ｂが貼り付けられている。図１５の例においても、目隠し領域６２を、風防ガラス３１の表面を、反射率を高めるように加工することで設けてもよい。なお、目隠し領域６２と風防ガラス３１の間に、例えば都市表示、時差表示、メモリ、受信に関する表示といった情報表示のための印字や装飾印刷を施してもよい。
【００４４】
図１６は、衛星電波腕時計１の他の一例を示す部分断面図であり、図７に対応する図である。図１６では、図７の例と異なり、風防ガラス３１の上面のうち法線が上向きとなる平面領域が、平面視でアンテナ１０ａ，１０ｂと重なっている。代わりに、風防ガラス３１の上面と下面の間の周縁（側壁）には、平面視でアンテナ１０ａ，１０ｂと重なる溝が設けられ、その溝に挿入された部材が挿入されている。この素材により目隠し領域６３が設けられている。目隠し領域６３はアンテナ１０ａ，１０ｂを覆っている。
【００４５】
図１７は、衛星電波腕時計１の他の一例を示す部分断面図であり、図７に対応する図である。図１７の例では、風防ガラス３１は他の部分より色が濃く、反射率が大きいまたは透過率の低い有色部６６を含む。有色部６６は風防ガラス３１の周縁の部分であり、アンテナ１０ａ，１０ｂを覆っている。
【００４６】
図１４から図１７の例において、アンテナ１０ａ，１０ｂを目隠し領域によって外部から見えないように隠している。ソーラーセル５３の受光面積を確保するために、この目隠し領域は平面視でソーラーセル５３より外側に配置されることが望ましい。
【００４７】
これまでに説明した例ではベゼル３２の全体がセラミックスにより形成されていたが、ベゼル３２がセラミックスなどの誘電体により形成される部分と金属により形成される部分とを含み、それらの部分が接合されていてもよい。
【００４８】
図１８は、衛星電波腕時計１の他の一例を概略的に示す部分断面図であり、図７に対応する断面を示す図である。図１８の例では、図７で説明された例と異なり、ベゼル３２は、セラミックス等の誘電体からなる誘電体部３２０と、金属からなる金属部３２１とを含む。誘電体部３２０は、断面が長方形のリングのうち上側かつ内側の長方形の領域を切りかいた形状をしている。この切り欠かれた領域に風防ガラス３１が固定される。誘電体部３２０は、平面視で上面と下面とを有するリング状の第１の部分と、その第１の部分の外周縁から上方向に延びる第２の部分とを有する。第１の部分は、平面視でアンテナ１０ａ，１０ｂと重なる。また第２の部分は、アンテナ１０ａ，１０ｂの側方に隣接している。上下方向でみると、アンテナ１０ａ，１０ｂは、第２の部分の上端と下端の間に配置される。金属部３２１は、胴３８にはめ込まれ、誘電体部３２０の第１の部分を支える横部分と、誘電体部３２０の側壁（外側の側壁）を囲む縦部分とを含む。なお、見返しリング３４は、誘電体部３２０の第２の部分の内側の側壁に接するように設けられている。
【００４９】
ベゼル３２のうちアンテナ１０ａ，１０ｂに近い部分をセラミックスなどの誘電体により形成することにより、衛星電波腕時計１を高感度かつ薄型にしつつ、ベゼル３２のうち金属により形成される部分により衝撃に対する耐性を高めることができる。特に、高感度と耐衝撃性という２つの特性を共存させることが可能になる。
【００５０】
図１９は、衛星電波腕時計１の他の一例を概略的に示す部分断面図であり、図１８に対応する図である。図１９の例では、図１８の例と異なり、ベゼル３２に含まれる誘電体部３２２は第２の部分に相当する部分を含まず、誘電体部３２２はアンテナ１０ａ，１０ｂの側方に隣接していない。ベゼル３２に含まれる金属部３２３は、胴３８にはめ込まれ、誘電体部３２２の第１の部分を支える横部分と、誘電体部３２２の側壁と風防ガラス３１の側壁とに隣接しベゼル３２の外側の側壁を構成する縦部分とを含む。
【００５１】
図２０は、衛星電波腕時計１の他の一例を概略的に示す部分断面図であり、図１８に対応する図である。図２０の例では、ベゼル３２に含まれる誘電体部３２４は、平面視で上面と下面とを有するリング状の第１の部分と、その第１の部分の外周縁から上方向に延びる第２の部分とを有する。図２０の例では、図１８の例と異なり、誘電体部３２４はベゼル３２の外周側の側壁も構成している。ベゼル３２に含まれる金属部３２５は、誘電体部３２４の下面に接合され、胴３８にはめ込まれており、誘電体部３２４の側壁を囲ってはいない。
【００５２】
図２１は、衛星電波腕時計１の他の一例を概略的に示す部分断面図であり、図２０に対応する図である。図２１の例では、図２０の例と同様に、ベゼル３２に含まれる誘電体部３２６は、ベゼル３２の外周側の側壁も構成している。一方、図２１の例では、図２０の例と異なり、誘電体部３２６は、平面視で上面と下面とを有するリング状の第１の部分と、その第１の部分の外周端から上方向に延びる第２の部分と、だけでなく、第１の部分の外周端から下方向に延びる第３の部分も含む。そして、第３の部分の側壁の下端は胴３８の外周の側壁の上端に接しており、金属部３２７はベゼル３２の側面には露出していない。なお、金属部３２７は第２の部分の下面と第３の部分の側面の下端および下面に接するように接続され、胴３８にはめ込まれている。図２１の例では、金属部３２７が露出しないため、金属部３２７と誘電体部３２６の接合箇所を目立たなくすることが可能になる。
【００５３】
図２２は、衛星電波腕時計１の他の一例を概略的に示す部分断面図であり、図１９に対応する図である。図２２の例では、ベゼル３２に含まれる誘電体部３２８は、図１９の見返しリング３４に相当する部分も含むように一体的に整形されている。金属部３２９は、胴３８にはめ込まれ、誘電体部３２２の第１の部分を支える横部分と、誘電体部３２２の側壁と風防ガラス３１の側壁とに隣接しベゼル３２の外側の側壁を構成する縦部分とを含む。
【００５４】
図１９や図２２の例においては、アンテナ１０ａ，１０ｂの側面に誘電体がない。この構成でより強い波長短縮を効かせるために、高誘電体からなるパッキンを配置することが望ましい。また、金属部３２３、３２９によるアンテナ１０ａ，１０ｂの受信信号への影響を低減するために、導電ピン４１は、アンテナ１０ａ，１０ｂの幅方向の中心よりも外側に給電することが好ましい。また、図２２以外の例においても、ベゼル３２と見返しリング３４とが一体になっていてもよい。
【００５５】
これまでに、衛星電波腕時計１に本発明を適用した場合について説明したが、例えば腕時計と異なる携帯用の小型の時計にも適用できる。
【図１】
2017169861.tif 000003
【図２】
2017169861.tif 000004
【図３】
2017169861.tif 000005
【図４】
2017169861.tif 000006
【図５】
2017169861.tif 000007
【図６】
2017169861.tif 000008
【図７】
2017169861.tif 000009
【図８】
2017169861.tif 000010
【図９】
2017169861.tif 000011
【図１０】
2017169861.tif 000012
【図１１】
2017169861.tif 000013
【図１２】
2017169861.tif 000014
【図１３】
2017169861.tif 000015
【図１４】
2017169861.tif 000016
【図１５】
2017169861.tif 000017
【図１６】
2017169861.tif 000018
【図１７】
2017169861.tif 000019
【図１８】
2017169861.tif 000020
【図１９】
2017169861.tif 000021
【図２０】
2017169861.tif 000022
【図２１】
2017169861.tif 000023
【図２２】
2017169861.tif 000024
【図２３】
2017169861.tif 000025
【国際調査報告】
2017169861.tif 000026
2017169861.tif 000027
2017169861.tif 000028